(57)【要約】【課題】紙管に消臭剤と香料が付与されたトイレットロールの製造方法を提供する。【解決手段】  紙管形成工程で形成した長尺紙管３０をログ形成工程のワインダーにセットするまでの間にある長尺紙管３０を軸心方向に向かって移動させる移動経路に設けられた長尺紙管の紙管外周面に向けて配された消臭剤付与装置と香料付与装置とから、前記移動経路を長尺紙管３０が軸心方向に向かって移動する過程で、紙管外周面に消臭剤及び香料を供給し、紙管外周面に長尺紙管の軸心方向に沿って連続的に香料及び消臭剤を付与する、ことを特徴とするトイレットロールの製造方法。【選択図】図３
2014193213.tif 000002
【特許請求の範囲】
【請求項１】
トイレットロールの複数倍幅以上の幅の長尺の紙管を形成する紙管形成工程と、
前記長尺紙管をワインダーにセットして、長尺紙管の軸心方向と直交する方向からトイレットロールの複数倍幅以上の幅のトイレットペーパー原紙を送り込み、長尺紙管に巻き付けて、ログを形成するログ形成工程と、
ログを切断して個々のトイレットロールにするログ裁断工程と、を有するトイレットロールの製造方法において、
前記紙管形成工程で形成した長尺紙管をログ形成工程のワインダーにセットするまでの間にある長尺紙管を軸心方向に向かって移動させる移動経路に、移動する長尺紙管の紙管外周面に向けて消臭剤付与装置と香料付与装置と配し、前記移動経路を長尺紙管が軸心方向に向かって移動する際に、前記消臭剤付与装置から紙管外周面に消臭剤を供給し、香料付与装置から紙管外周面に香料を供給して、紙管外周面に長尺紙管の軸心方向に沿って連続的に香料及び消臭剤を付与する、ことを特徴とするトイレットロールの製造方法。
【請求項２】
紙管外面への消臭剤の供給と香料との供給を同時に行なう、請求項１記載のトイレットロールの製造方法。
【請求項３】
消臭剤の供給位置と香料の供給位置を、紙管外周の周方向で異なる位置にする、請求項１又は２記載のトイレットロールの製造方法。
【請求項４】
ワインダーに長尺紙管をセットする際に、長尺紙管を、ワインダーにおけるトイレットペーパー原紙の流れ方向と直行する方向から供給し、その供給過程で、消臭剤と香料とを紙管外周面に付与する、請求項１〜３の何れか１項に記載のトイレットロールの製造方法。
【請求項５】
トイレットロールの複数倍幅以上の幅の長尺の紙管を形成する紙管形成工程と、
前記長尺紙管をワインダーにセットして、長尺紙管の軸心方向と直交する方向からトイレットロールの複数倍幅以上の幅のトイレットペーパー原紙を送り込み、長尺紙管に巻き付けて、ログを形成するログ形成工程と、
ログを切断して個々のトイレットロールにするログ裁断工程と、を有するトイレットロールの製造方法において、
前記紙管形成工程で形成した長尺紙管をログ形成工程のワインダーにセットするまでの間にある、長尺紙管を軸心方向に向かって所定距離移動させかつその直後に移動停止させる経路に、移動する長尺紙管の紙管外周面に向けて香料付与装置を配し、停止した長尺紙管の筒端開口から紙管内周面に向けて消臭剤付与装置を配し、前記長尺紙管が軸心方向に向かって移動する際に、前記香料付与装置から紙管外周面に香料を供給して、紙管外周面に長尺紙管の軸心方向に沿って連続的に香料を付与し、停止した長尺紙管に対して前記消臭剤付与装置から紙管内周面に消臭剤を付与する、ことを特徴とするトイレットロールの製造方法。
【請求項６】
ワインダーに長尺紙管をセットする際に、長尺紙管を、ワインダーにおけるトイレットペーパー原紙の流れ方向と直行する方向から供給し、その供給過程で、香料を紙管外周面に付与し、セット位置で移動停止した長尺紙管に対して消臭剤付与装置から紙管内周面に消臭剤を付与する、請求項５記載のトイレットロールの製造方法。
【請求項７】
トイレットロールの複数倍幅以上の幅の長尺の紙管を形成する紙管形成工程と、
前記長尺紙管をワインダーにセットして、長尺紙管の軸心方向と直交する方向からトイレットロールの複数倍幅以上の幅のトイレットペーパー原紙を送り込み、長尺紙管に巻き付けて、ログを形成するログ形成工程と、
ログを切断して個々のトイレットロールにするログ裁断工程と、を有するトイレットロールの製造方法において、
前記紙管形成工程で形成した長尺紙管をログ形成工程のワインダーにセットするまでの間にある、長尺紙管を軸心方向に向かって所定距離移動させかつその直後に移動停止させる経路に、移動する長尺紙管の紙管外周面に向けて香料付与装置を配し、移動する長尺紙管又は停止した長尺紙管の筒端開口から紙管筒内に挿入される内外に連通する多数の消臭剤付与口を有する消臭剤付与シャフトを配し、前記長尺紙管が軸心方向に向かって移動する際に、前記香料付与装置から紙管外周面に香料を供給して、紙管外周面に長尺紙管の軸心方向に沿って連続的に香料を付与し、長尺紙管の筒端開口から紙管筒内に挿入された消臭剤付与シャフトから紙管内周面に消臭剤を付与する、ことを特徴とするトイレットロールの製造方法。
【請求項８】
ワインダーに長尺紙管をセットする際に、長尺紙管を、ワインダーにおけるトイレットペーパー原紙の流れ方向と直行する方向から供給し、その供給過程で、香料を紙管外周面に付与し、前記供給過程又はセット位置で移動停止した長尺紙管に対して消臭剤付与シャフトを挿入し、紙管内周面に消臭剤を付与する、請求項７記載のトイレットロールの製造方法。
【請求項９】
消臭剤がポリフェノール系消臭剤である請求項１〜８の何れか１項に記載のトイレットロール。
【請求項１０】
帯状のトイレットペーパーが紙管に巻かれているトイレットロールであって、
紙管外周面に消臭剤と香料とが、紙管外周面の周方向の異なる位置で軸心方向に沿って線状に付与されている、ことを特徴とするトイレットロール。
【請求項１１】
帯状のトイレットペーパーが紙管に巻かれているトイレットロールであって、
消臭剤が紙管内周面に付与され、香料が紙管外周面に軸心方向に沿って線状に付与されている、ことを特徴とするトイレットロール。
【請求項１２】
消臭剤がポリフェノール系消臭剤である請求項１０又は１１記載のトイレットロール。
【発明の詳細な説明】
【技術分野】
【０００１】
本発明は、紙管に消臭剤と香料が付与されたトイレットロールとその製造方法に関する。
【背景技術】
【０００２】
トイレットロールの紙管に消臭剤や香料を付与して、トイレ空間の消臭や芳香を行えるようにしたものが提案されている。しかし、消臭剤と香料の双方が紙管に付与され、しかもその消臭剤と香料の効果がともに優れたものを効率よく生産することは難しかった。その理由としては、まず、生産効率を高めるべく、消臭剤と香料とを混合して紙管に付与しようとすると、使用可能な消臭剤と香料との組み合わせが限られるため、それぞれを単独で用いるよりも効果が劣ることになる。また、消臭剤と香料の双方を紙管に付与するにあたって、それぞれを別工程で付与するようにすると、作業効率が悪化し、トイレットロールの生産性を悪化させる。
【０００３】
また、紙管形成前の紙管原紙に消臭剤や香料を予め付与しておくことも考えられるが、このようにすると紙管原紙の段階からトイレットロールが生産されるまで長期間にわたって消臭剤や香料が暴露されつづけるため、その間に消臭効果や芳香効果が低下するおそれがある。
【０００４】
また、紙管原紙に香料や消臭剤を付与しておくと、消臭剤や香料が紙管製造装置を汚したりするおそれがある。例えば、消臭剤の中にはポリフェノール系消臭剤など鉄を酸化させるものなどがあり、このような消臭剤を用いると紙管製造装置の構成するガイドロールやマンドレルシャフト等の多くの鉄部材を酸化により変色させてしまうおそれがある。また、同じ紙管製造装置で香料や消臭剤を付与しない紙管を生産しようとする際に、紙管製造装置における紙管原紙の搬送過程全体を洗浄する必要が生じ、手間が煩雑となりランニングコストも高くなる。
【０００５】
このように、消臭剤と香料の双方が紙管に付与され、しかも消臭剤と香料の効果に優れたものを効率よく生産することは難しかった。
【先行技術文献】
【特許文献】
【０００６】
【特許文献１】特許第２６８４３６６号
【特許文献２】特開２００５−８７７８８号公報
【特許文献３】特許第３５３８５８８号
【特許文献４】登録実用第３００７５２６号
【発明の概要】
【発明が解決しようとする課題】
【０００７】
そこで、本発明の主たる課題は、消臭剤と香料とが紙管に付与されたトイレットロール及び、そのトイレットロールを効率よく製造する製造方法を提供することにある。
【課題を解決するための手段】
【０００８】
上記課題を解決した本発明は次記のとおりである。
（請求項１記載の発明）
トイレットロールの複数倍幅以上の幅の長尺の紙管を形成する紙管形成工程と、
前記長尺紙管をワインダーにセットして、長尺紙管の軸心方向と直交する方向からトイレットロールの複数倍幅以上の幅のトイレットペーパー原紙を送り込み、長尺紙管に巻き付けて、ログを形成するログ形成工程と、
ログを切断して個々のトイレットロールにするログ裁断工程と、を有するトイレットロールの製造方法において、
前記紙管形成工程で形成した長尺紙管をログ形成工程のワインダーにセットするまでの間にある長尺紙管を軸心方向に向かって移動させる移動経路に、移動する長尺紙管の紙管外周面に向けて消臭剤付与装置と香料付与装置と配し、前記移動経路を長尺紙管が軸心方向に向かって移動する際に、前記消臭剤付与装置から紙管外周面に消臭剤を供給し、香料付与装置から紙管外周面に香料を供給して、紙管外周面に長尺紙管の軸心方向に沿って連続的に香料及び消臭剤を付与する、ことを特徴とするトイレットロールの製造方法。
【０００９】
（請求項２記載の発明）
紙管外面への消臭剤の供給と香料との供給を同時に行なう、請求項１記載のトイレットロールの製造方法。
【００１０】
（請求項３記載の発明）
消臭剤の供給位置と香料の供給位置を、紙管外周の周方向で異なる位置にする、請求項１又は２記載のトイレットロールの製造方法。
【００１１】
（請求項４記載の発明）
ワインダーに長尺紙管をセットする際に、長尺紙管を、ワインダーにおけるトイレットペーパー原紙の流れ方向と直行する方向から供給し、その供給過程で、消臭剤と香料とを紙管外周面に付与する、請求項１〜３の何れか１項に記載のトイレットロールの製造方法。
【００１２】
（請求項５記載の発明）
トイレットロールの複数倍幅以上の幅の長尺の紙管を形成する紙管形成工程と、
前記長尺紙管をワインダーにセットして、長尺紙管の軸心方向と直交する方向からトイレットロールの複数倍幅以上の幅のトイレットペーパー原紙を送り込み、長尺紙管に巻き付けて、ログを形成するログ形成工程と、
ログを切断して個々のトイレットロールにするログ裁断工程と、を有するトイレットロールの製造方法において、
前記紙管形成工程で形成した長尺紙管をログ形成工程のワインダーにセットするまでの間にある、長尺紙管を軸心方向に向かって所定距離移動させかつその直後に移動停止させる経路に、移動する長尺紙管の紙管外周面に向けて香料付与装置を配し、停止した長尺紙管の筒端開口から紙管内周面に向けて消臭剤付与装置を配し、前記長尺紙管が軸心方向に向かって移動する際に、前記香料付与装置から紙管外周面に香料を供給して、紙管外周面に長尺紙管の軸心方向に沿って連続的に香料を付与し、停止した長尺紙管に対して前記消臭剤付与装置から紙管内周面に消臭剤を付与する、ことを特徴とするトイレットロールの製造方法。
【００１３】
（請求項６記載の発明）
ワインダーに長尺紙管をセットする際に、長尺紙管を、ワインダーにおけるトイレットペーパー原紙の流れ方向と直行する方向から供給し、その供給過程で、香料を紙管外周面に付与し、セット位置で移動停止した長尺紙管に対して消臭剤付与装置から紙管内周面に消臭剤を付与する、請求項５記載のトイレットロールの製造方法。
【００１４】
（請求項７記載の発明）
トイレットロールの複数倍幅以上の幅の長尺の紙管を形成する紙管形成工程と、
前記長尺紙管をワインダーにセットして、長尺紙管の軸心方向と直交する方向からトイレットロールの複数倍幅以上の幅のトイレットペーパー原紙を送り込み、長尺紙管に巻き付けて、ログを形成するログ形成工程と、
ログを切断して個々のトイレットロールにするログ裁断工程と、を有するトイレットロールの製造方法において、
前記紙管形成工程で形成した長尺紙管をログ形成工程のワインダーにセットするまでの間にある、長尺紙管を軸心方向に向かって所定距離移動させかつその直後に移動停止させる経路に、移動する長尺紙管の紙管外周面に向けて香料付与装置を配し、移動する長尺紙管又は停止した長尺紙管の筒端開口から紙管筒内に挿入される内外に連通する多数の消臭剤付与口を有する消臭剤付与シャフトを配し、前記長尺紙管が軸心方向に向かって移動する際に、前記香料付与装置から紙管外周面に香料を供給して、紙管外周面に長尺紙管の軸心方向に沿って連続的に香料を付与し、長尺紙管の筒端開口から紙管筒内に挿入された消臭剤付与シャフトから紙管内周面に消臭剤を付与する、ことを特徴とするトイレットロールの製造方法。
【００１５】
（請求項８記載の発明）
ワインダーに長尺紙管をセットする際に、長尺紙管を、ワインダーにおけるトイレットペーパー原紙の流れ方向と直行する方向から供給し、その供給過程で、香料を紙管外周面に付与し、前記供給過程又はセット位置で移動停止した長尺紙管に対して消臭剤付与シャフトを挿入し、紙管内周面に消臭剤を付与する、請求項７記載のトイレットロールの製造方法。
【００１６】
（請求項９記載の発明）
消臭剤がポリフェノール系消臭剤である請求項１〜８の何れか１項に記載のトイレットロール。
【００１７】
（請求項１０記載の発明）
帯状のトイレットペーパーが紙管に巻かれているトイレットロールであって、
紙管外周面に消臭剤と香料とが、紙管外周面の周方向の異なる位置で軸心方向に沿って線状に付与されている、ことを特徴とするトイレットロール。
【００１８】
（請求項１１記載の発明）
帯状のトイレットペーパーが紙管に巻かれているトイレットロールであって、
消臭剤が紙管内周面に付与され、香料が紙管外周面に軸心方向に沿って線状に付与されている、ことを特徴とするトイレットロール。
【００１９】
（請求項１２記載の発明）
消臭剤がポリフェノール系消臭剤である請求項１０又は１１記載のトイレットロール。
【発明の効果】
【００２０】
以上の本発明によれば、消臭剤と香料とが紙管に付与されたトイレットロール及び、そのトイレットロールを効率よく製造する製造方法が提供される。
【図面の簡単な説明】
【００２１】
【図１】本発明の実施形態に係るトイレットロールの製造方法を示す図である。
【図２】本発明の実施形態に係る長尺紙管の製造方法を示す図である。
【図３】本発明の第１実施形態に係る香料及び消臭剤の付与態様を示す図である。
【図４】本発明の第１実施形態に係る香料及び消臭剤の付与態様を示す別の図である。
【図５】本発明の第１実施形態に係るトイレットロールの斜視図である。
【図６】本発明の第１実施形態に係る紙管の斜視図である。
【図７】本発明の第２実施形態に係る香料及び消臭剤の付与態様を示す図である。
【図８】本発明の第２実施形態に係る紙管の斜視図である。
【図９】本発明の第３実施形態に係る香料及び消臭剤の付与態様を示す図である。
【発明を実施するための形態】
【００２２】
本発明の実施形態を図１〜９を参照しながら以下に説明する。但し、本発明は、この実施形態に限られない。
【００２３】
［第１実施形態］
（トイレットロールの製造方法）
本発明の実施形態に係るトイレットロール１０の製造方法例を特に図１〜図４を参照しながら説明する。但し、本発明のトイレットロールの製造方法は、この方法に必ずしも限定されるわけではない。
本実施形態のロールペーパーの製造方法は、図１に示すように、長尺のスパイラル紙管３０を製造する紙管形成工程（Ａ）と、その長尺のスパイラル紙管を用いてログを製造するログ形成工程（Ｂ）と、ログを裁断して個々のトイレットロールにするログ裁断工程（Ｃ）を有している。
【００２４】
＜紙管形成工程（Ａ）＞
本実施形態の紙管形成工程では、図１中（Ａ）、図２に示すように、原反ロール３１Ａ，３２Ａから繰出された二枚の帯状の紙管原紙３１，３２のうち一方の紙管原紙３１の一方面に糊付けロール５１によって接着糊４４を付与し、前記一方の紙管原紙３１の糊付けされた面に他方の紙管原紙３２を幅方向に一部重ね、前記他方の紙管原紙３２の糊付け面と接しない面をマンドレルシャフト５２に対向する面、すなわち紙管内面となる面にして、各紙管原紙３１，３２をマンドレルシャフト５２に螺旋状に巻き付けて連続的に筒状部分２９を形成し、その筒状部分２９をトイレットロールの複数倍幅以上の幅でカッター５８によりカットして長尺のスパイラル紙管３０（スパイラル式紙管とも称される）を形成している。このスパイラル紙管は、一方の紙管原紙３１が紙管外面側、他方の紙管原紙３２が紙管内面側となる態様の二層積層構造となる。なお、本実施形態では、２枚の紙管原紙３１，３２をスパイラル巻きしているが、３枚以上の紙管原紙をスパイラル巻きして長尺の紙管を形成してもよい。また、スパイラル紙管ではなく平巻き紙管とすることもできる。
【００２５】
紙管原紙３１に対する接着糊４４の付与量は特に限定されないが、付与直後で８．０〜８０．０ｇ／ｍ2、乾燥後で４．０〜１０．０ｇ／ｍ2程度である。また、接着糊４４は、本発明の効果を妨げない範囲で既知の紙管用のものを用いることができ、アクリル系接着剤、ホットメルト接着剤、澱粉糊、ＰＶＡ（ポリビニルアルコール）等が例示できる。
【００２６】
図示の形態では、各紙管原紙３１，３２のマンドレルシャフト５２への巻き付けは、一対のプーリー５３，５３間に巻き掛けられた平ベルト５４により、マンドレルシャフト５２上の所定部分に位置する筒状部分２９に回転力を与え、その回転により紙管原紙３１，３２をマンドレルシャフト５２の軸心に対して所定角度で引き込んで、螺旋状に巻くようにしている。図示例では、一対のプーリー５３，５３を二機配置して二つの平ベルト５４，５４により、筒状部分２９に回転力を与えているが、一機の一対のプーリーと平ベルトにより筒状部分に回転力を与えるようにしてもよい。また、図示しないが、筒状部分２９に平ベルト５４ではなくロールを当接させて回転力を与えるようにしても、各紙管原紙３１，３２をマンドレルシャフト５２に巻き付けることができる。
【００２７】
このようにして長尺紙管３０を形成した後には、この長尺紙管３０をコンベア手段５５に供給して適宜の搬送経路で連続的又は断続的に次段のログ形成工程（Ｂ）におけるワインダーＸ２に供給していく。
【００２８】
＜ログ形成工程（Ｂ）＞
上記の長尺のスパイラル紙管３０の製造と平行して又はその後において、ログ形成工程（図１中（Ｂ）にて、ログ７０を製造する。なお、ログ７０とは、最終製品であるトイレットロールの直径と同径でありかつ幅が最終製品の複数倍幅以上ある中間製品である。
【００２９】
図示の形態では、ログ７０の形成は、紙管形成工程（Ａ）で製造した長尺のスパイラル紙管３０をワインダーＸ２の所定位置にセットし、これと実質的に同幅又はそれよりも若干幅狭のペーパーシート原紙７１，７１を、ロール７１Ａ，７１Ａから繰り出すとともに巻き付けてログ７０を形成している。図示のワインダーは、二つのロール７１Ａ，７１Ａからトイレットペーパー原紙７１，７１を繰り出して、重ね合わせ部８１にて２プライのトイレットペーパー原紙７２とした後、ミシン目線形成装置８２にてミシン目線の形成を行なった後、巻き取りロール８３，８３，８５によって長尺紙管３０に巻き付けて２プライのログを形成するようにしている。長尺紙管３０へのトイレットペーパー原紙７１の巻き付けに際しては、巻き付けを安定して行なうために、コアシャフトとも称される長尺紙管３０の内径よりやや径の小さいシャフトを長尺紙管内に挿入して行なってもよい。
【００３０】
図示の形態では、２つのロール７１Ａ、７１Ａからトイレットペーパー原紙７１、７１を繰り出し、積層して２プライ構造のトイレットペーパー原紙７２とした後に長尺紙管３０に巻き付けるようにしているが、本発明に係るトイレットペーパー原紙は、この２プライに限定されず、１プライ若しくは３プライ以上であってもよい。さらには、複数プライ構造とする場合には、各原紙の米坪や物性等は同じである必要もない。また、予め積層されたシートを巻き取ったロールから積層シートを繰出して長尺紙管３０に巻き付けてログ７０を形成すようにしてもよい。
【００３１】
なお、図示の形態では、ミシン目線形成装置８２を設けてミシン目線を付与する形態を示しているが、本発明では必ずしもミシン目線形成装置及びミシン目線の付与は必須ではない。また、本実施形態において、図示はしないが、ミシン目線付与装置８２の前段に既知のコンタクトエンボス付与装置を設けてコンタクトエンボスを付与してもよいし、重ね合わせ部８１の前段で各トイレットペーパー原紙７１，７１にエンボスロールでエンボスを付与するようにしてもよいし、その付与したエンボスの凸部頭頂に接着剤を付与して係る接着剤でシート同士を積層一体化するようにしてもよい。
【００３２】
＜消臭剤及び香料の付与工程＞
第１実施形態に係るトイレットロールの製造方法では、上記紙管形成工程（Ａ）で形成した長尺紙管３０をログ形成工程（Ｂ）のワインダーＸ２の所定位置にセットするまでの間において、長尺紙管３０をその軸心方向に向かって移動させる際に、消臭剤と香料とを付与する。第１実施形態では、長尺紙管３０を形成した後に消臭剤と香料とを付与するため、紙管原紙に対して香料や消臭剤を付与する場合よりも、後段で消臭剤及び香料を付与することになるため、消臭剤や香料の暴露時間が短くなり、消臭剤や香料の劣化が少ない。
【００３３】
長尺紙管３０への消臭剤及び香料の付与は、図３（ａ）〜（ｂ）に示すように、長尺紙管３０がその軸心方向に移動する移動経路Ｐに設けられた消臭剤付与装置４１と香料付与装置４２から行なう。消臭剤付与装置４１及び香料付与装置４２としては、塗布ガン、二流体式ノズル式噴霧装置等のスプレー塗布装置が例示できる。
【００３４】
第１実施形態では、各付与装置４１，４２が、移動経路Ｐを通る長尺紙管３０の紙管外周面３０Ａに塗布口を向けるようにして固定設置し、前記移動経路Ｐを通る長尺紙管３０の外周面３０Ａに消臭剤と香料とをそれぞれ供給する（各図において、消臭剤が付与された部分は符号２１，香料が付与された部分は符号２２で示す）。このようにすると、上記移動経路Ｐを長尺紙管３０が移動する際に、各付与装置４１，４２が、相対的に紙管外周面３０Ａを長尺紙管３０の軸心方向に沿って走査することになり、長尺紙管３０の外周面に軸心方向に沿って連続的に消臭剤と香料とを付与することができる。図示の形態は、好ましい形態として、消臭剤付与装置４１と香料付与装置４２とを近隣配置して、香料と消臭剤とを長尺紙管に同時に付与しているが、本発明では、必ずしも同時に付与しなくてもよい。長尺紙管の移動経路Ｐ中に消臭剤付与装置４１と香料付与装置４２とを別位置に設けて消臭剤と香料とを移動経路Ｐ中の別位置で長尺紙管３０に消臭剤と香料とが塗布されるようにしてもよい。なお、本実施形態における同時とは、完全に同時の場合も含め、少なくとも一つの長尺紙管に対して香料、消臭剤の何れか一方を先に塗布し初めても、それが完全に終わらないうちに、他方が塗布され始めればよいことを意味する。
【００３５】
本実施形態では、このように消臭剤と香料とを長尺紙管３０の移動経路で付与するようにしたので、別工程で付与する場合と比べて、生産効率に優れる。
【００３６】
特に、消臭剤付与装置４１と香料付与装置４２とから消臭剤及び香料を供給するにあたって、図示例のように、消臭剤付与装置４１と香料付与装置４２の設置位置、塗布口の角度や絞り等を調整し、紙管外周面３０Ａにおける消臭剤の供給位置と香料の供給位置とを周方向で異なる位置となるようにすると、消臭剤と香料とが混ざり合うことなく、図示例の如く、紙管外周面３０Ａの異なる位置に線状に付与することができ、紙管周面３０Ａに付与された状態でも両者が混合されないようにすることができる。このようにすれば、混合が難しい消臭剤と香料とを使用することができ、また、そのような混合が難しい消臭剤と香料とを同時に付与することができるようになる。
【００３７】
他方、第１実施形態において、長尺紙管３０をその軸心方向に向かって移動させる移動経路の具体的な位置や、そのように移動させる方法は限定されるものではない。長尺紙管３０の搬送経路においては、マンドレルシャフト５２に紙管原紙３１，３２を巻き付けて筒状部分２９を形成し、これを切り出して長尺紙管３０とした後、この長尺紙管３０を次段のワインダーＸ２に送るためのコンベア手段５５に載せる際、及びワインダーＸ２に長尺紙管３０を供給する際は、長尺紙管３０を軸心方向に向かって移動させることがよく行なわれる。したがって、製造ラインにそのような移動経路が存在する場合には、その位置で消臭剤と香料とを付与すれば、既存の製造ラインを大幅に改変することなく消臭剤及び香料を長尺紙管３０に付与することができる。但し、本発明は、長尺紙管をその軸心方向に向かって移動させる移動経路を新たに設けることを否定しない。
【００３８】
第１実施形態において、特に好ましい移動経路は、上述のワインダーＸ２に長尺紙管３０を供給する際である。図４にワインダーＸ２の巻き取りロール近傍を示すように、ワインダーＸ２への長尺紙管３０のセットは通常は巻き取りロール８３，８３上に長尺紙管を位置せしめるようにするが、その際にワインダーＸ２におけるトイレットペーパー原紙７２の流れ方向と直行する方向から長尺紙管３０を供給するようにすれば、その供給の際に長尺紙管３０の移動方向が軸心方向になる（なお、図４中（Ｘ）は（Ｙ）ｘ−ｘ断面図である）。
【００３９】
そして、このワインダーＸ２に長尺紙管３０を供給する供給過程で、消臭剤と香料とを付与するようにすると、付与直後にトイレットペーパー原紙７２によって消臭剤付与部分２１と香料付与部分２２とが巻かれて被覆されることになるため、消臭剤や香料の揮散が抑えられる。また、消臭剤と香料とが製造ラインに接触することが最低限に抑えられるため、トイレットロールの製造装置を構成する金属部材を酸化させるような消臭剤を使用しやすくなる。また、香料の装置への付着も最低限に抑えられる。背景技術の欄で述べたような、紙管原紙に香料や消臭剤を予め付与しておく場合が抱える問題点は本実施形態によれば解決される。
【００４０】
ここで、本発明に係る消臭剤は限定されないが、ポリフェノール系消臭剤、両性界面活性剤、クエン酸、グラフト重合体系消臭剤、ベタイン化合物系消臭剤、スギ、ヒノキ等から抽出された精油類、二酸化チタン、二酸化アルミニウム、天然ゼオライト、合成ゼオライト、活性白土、モレキュラーシーブ、シリカゲル、大谷石、酸化カルシウム、酸化マグネシウム、麦飯石、活性炭、シクロデキストリン、ジルコニウム化合物、銅化合物、イオン交換樹脂などが例示できる。これらは、一種又は二種以上を混合して使用することができる。塗布するにあたって適宜のバインダーを用いてもよい。
【００４１】
上記消臭剤の中でも特に望ましい消臭剤は、ポリフェノール系消臭剤である。ポリフェノール系消臭剤は、茶  柿、ブドウ等の植物及び植物の加工品から抽出されるポリフェノール、及びそのポリフェノールの誘導体であり、フェノール系水酸基による反応性により、悪臭成分の一つであるアンモニアに対して高い消臭機能を有する。ポリフェノール系消臭剤のなかには、アンモニアに加えて、硫化水素、メチルメルカプタン、トリメチルアミンに対して反応性を有して消臭機能を有するものも存在するが、もちろん本発明に用いるポリフェノール系消臭剤はそのようなものであってもよい。なお、ポリフェノール系消臭剤は、ポリフェノール、ポリフェノール誘導体の何れか一方に限定されるわけではなく、双方が含まれていてもよい。また、数種のポリフェノール、ポリフェノール誘導体の混合物でもよい。また、ポリフェノール系消臭剤のなかでも、特にタンニン及びその誘導体が望ましい。タンニン及びタンニン誘導体は、分子量が大きくフェノール系水酸基を多く有するため消臭機能に優れる。また、タンニンのなかでも、柿由来の柿タンニンは、分子量が非常に大きく、消臭効果に極めて優れるため、ポリフェノール系消臭剤としては、この柿タンニン及び柿タンニン誘導体の少なくとも一方を含むようにするのがよい。
【００４２】
特に、消臭剤がポリフェノール系消臭剤である場合には、塗布に際して、ポリフェノール系消臭剤を２５〜３７％、メタノール、エタノール、プロパノールの群から選ばれる少なくとも一つの低級アルコールを３〜２５％を体積比で混合した消臭液として塗布すると、ポリフェノール系消臭剤を紙管原紙３２に迅速に浸透させることができる。したがって、ワインダーに供給する際に塗布して、直ぐにトイレットペーパー原紙の巻き付けを行なうことができる。なお、上記消臭液は、その他の非有効成分として水を体積比で３８〜７２％含有させることができる。
【００４３】
一方、本発明に係る香料としては、酢酸イソブチル、リモネン、メントール、レモン油、グレープフルーツ油、ローズマリー油、ペパーミント油、マンダリン油、ライム油、ユズ油、カモミール油、ラベンダー油、ローズ油、スペアミント油等の天然香料類；リナロール、シトロネロール、メントール、ゲラニオール等のアルコール類等の合成香料などが挙げられる。これらは単独で用いても、複数を組み合わせて調合香料として用いてもよい。香料の選択は、所望の香調によって決定すればよい。また、これらの香料は、アルコール等の揮発性溶媒や水に混合して使用することができる。
【００４４】
また、上記消臭剤やバインダー、香料は、適宜の溶媒により、塗布に適した粘度に調整することができる。
【００４５】
第１実施形態において、長尺紙管３０に塗布する消臭剤や香料の塗布量は特に限定されない。消臭剤や香料の効力を考慮して適宜の付与量とすることができる。
【００４６】
＜ログ裁断工程（Ｃ）＞
以上のように、消臭剤及び香料を付与した長尺紙管を用いてログ７０を製造したならば、このログ７０を既知のログアキュームレーターＸ３で複数本をストックしつつ後段のログカッター設備Ｘ４へと移動させる。そして、その後に図１中（Ｃ）に示すように、既知のログカッター９１でログ７０を製品幅に裁断し、図５に示すような、個々のトイレットロール１０，１０…とする。このログの切断と同時に、長尺の紙管も裁断され、長尺の紙管も個々の紙管となる。
【００４７】
本発明に係るトイレットロールの製造方法により製造されるトイレットロールの好ましい例は、図５に示すとおり、その大きさ等は、幅Ｌ１が１００〜１１５ｍｍ、直径Ｌ２が１００〜１２０ｍｍ、巻き長さ（トイレットペーパーの全長）が１８〜７０ｍ、紙管内径Ｌ３が３５〜５０ｍｍであるのが望ましい。この大きさであれば一般的なトイレットロール用のペーパーホルダーが利用でき、トイレットペーパー１２の長さも十分である。
【００４８】
本発明に係るトイレットペーパー１２は、微細な凹凸であるクレープを有する家庭用薄葉紙である。但し、その具体的な組成・構成は限定されない。好ましくは、１プライから３プライのプライ構造を有し、トイレットペーパーでの紙厚が、１００〜３５０μｍ、１プライ当り米坪が１１．０〜２５．０ｇ／ｍ2である。この範囲であれば使用時の柔らかさや吸水性を確保できる。なお、本発明に係る米坪とは、ＪＩＳ Ｐ ８１２４（１９９８）の米坪測定方法によるものであり、紙厚とは、ＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて５回測定した平均値をいう。測定は、製品として１プライのものは１プライ、２プライのものは２プライ、３プライのものは３プライで実施する。
【００４９】
第１実施形態に係るロールペーパー１０では、特徴的に、図６に紙管１１の斜視図を示すように、前記紙管１１の外周面に消臭剤２１と香料２２とが紙管の軸心方向に沿って線状に付与されたものとなる。
【００５０】
［第２実施形態］
次いで、第２実施形態のロールペーパーの製造方法を、特に、図１、７、８を参照しながら説明する。第２実施形態は、＜ログ形成工程（Ｂ）＞、＜ログ切断工程（Ｃ）＞は第１実施形態と同様であるが、＜消臭剤及び香料の付与工程＞が一部異なる。第１実施形態と共通する部分は説明を省略し、その異なる第２実施形態に特有の事項を主に説明する。
【００５１】
第２実施形態では、図７に示すように、長尺紙管３０を軸心方向に向かって所定距離移動しかつその直後に移動停止する経路で、消臭剤の付与と香料の付与とを行なう。なお、図７（ｃ）が長尺紙管の移動時、図７（ｄ）が長尺紙管の停止時を示している。係る経路としては、第１実施形態で述べたのと同様に、マンドレルシャフト５２に紙管原紙３１，３２を巻き付けて筒状部分２９を形成し、これを切り出して長尺紙管３０とした後、この長尺紙管３０を次段のワインダーＸ２に送るためのコンベア手段５５に載せる際、及びワインダーＸ２に長尺紙管３０を供給する際は、長尺紙管３０を軸心方向に向かって移動させ、その後に移動が停止させることが行なわれる。例えば、ワインダーＸ２に長尺紙管３０を供給する際は、第１実施形態において図４を参照して説明したとおり、長尺紙管３０を巻き取りロール８３，８３上に供給する際に紙管３０を軸心方向に向かって移動するようにして供給するが、セット位置ではその移動が停止させられる。第２実施形態は、このような長尺紙管３０の移動、停止が行なわれる際に消臭剤と香料とを付与する。
【００５２】
第２実施形態では、特に図７（ｃ）〜（ｄ）に示すように、移動する長尺紙管３０の紙管外周面３０Ａに向けて香料付与装置４２を配し、停止した長尺紙管３０に筒端開口３０Ｃから紙管内周面３０Ｂに付与口が向くようにして消臭剤付与装置４１ａ，４１ｂを配し、長尺紙管が軸心方向に向かって移動する際に、香料付与装置４２から紙管外周面３０Ａに香料を供給して、紙管外周面３０Ａに長尺紙管３０の軸心方向に沿って連続的に香料を付与する。そして、移動が停止した長尺紙管３０に対して消臭剤付与装置４１ａ，４１ｂから紙管内周面３０Ｂに筒端開口部３０Ｃから消臭剤を付与する。したがって、消臭剤付与装置４１ａ，４１ｂは、長尺紙管３０に筒端開口３０Ｃから紙管内周面３０Ｂの全体に消臭剤を付与できるようにスプレー塗布装置を用いるのが望ましい。筒端開口３０Ｃから紙管内周面３０Ｂに向けて消臭剤をスプレー塗布して、紙管筒奥まで消臭剤を付与するにあたっては、例えば、スプレー塗布装置の絞りを動的に変更するようにして、スプレーの拡散範囲を変更するようにすればよい。
【００５３】
また、第２実施形態では、消臭剤付与装置は一機ではなく、図示例の如く、二機として長尺紙管３０の両筒端開口３０Ｃ，３０Ｃから紙管内面３０Ｂに消臭剤を塗布するようにするのが望ましい。長尺の紙管の内周面全体に消臭剤を付与しやすくなる。この場合には、長尺紙管３０の移動経路Ｐの上流側に位置する消臭剤付与装置４１ａは、長尺紙管３０の移動の妨げになることから、図示の形態では、上流側の消臭剤付与装置４１ａに昇降機能を設けて、長尺紙管３０の移動時には、消臭剤付与装置４１ａを降下させておき、長尺紙管３０が停止位置に到達した際に上昇させて消臭剤付与装置４１ａの付与口を長尺紙管紙管３０の筒端開口３０Ｃに向けるようにしている。もちろん、下流側の消臭剤付与装置３０ｂも昇降可能に構成してもよい。さらに、昇降ではなく左右移動するように構成してもよい。
【００５４】
上述のワインダーＸ２への長尺紙管３０を供給するに際して消臭剤及び香料を付与する例においては、ワインダーＸ２がログ７０を形成した後、そのログ７０を長尺紙管３０の軸心方向と直行する方向（トイレットペーパー原紙の流れ方向）に排出するものであれば、図示例のように上流側の消臭剤付与装置４１ａを昇降可能にし、下流側の消臭剤付与装置４１ｂは固定式にすることができる。
【００５５】
第２実施形態でも、紙管形成工程で形成した長尺紙管をログ形成工程のワインダーにセットするまでの間にある、長尺紙管３０を搬送する経路で消臭剤と香料とを付与するようにしたので、別工程で付与する場合と比べて、生産効率に優れる。
【００５６】
また、第２実施形態でも、消臭剤と香料とが製造ラインに接触することが最低限に抑えられる。第２実施形態において、トイレットロールの製造装置において紙管内面に付与した消臭剤と接触する可能性がある部材は、ログ巻き取りの際にコアシャフトを使用する場合のそのコアシャフト程度であるため、このコアシャフトをクロムメッキ等で被覆するなどして防さび対応をとったり、洗浄をするだけでよく、その手間やコストは背景技術の欄で述べたような、紙管製造装置全体の洗浄の手間と比べれば容易であり、第２実施形態においても構成する金属部材を酸化させるような消臭剤を使用しやすくなる。
【００５７】
以上の第２実施形態に係るトイレットロールの製造方法により製造されるトイレットロールは、特徴的に、図８に紙管１１の斜視図を示すように、前記紙管１１の外周面に香料２２が紙管の軸心方向に沿って線状に付与され、消臭剤２１が紙管内周面に付与されたものとなる。
【００５８】
［第３実施形態］
次いで、第３実施形態のロールペーパーの製造方法を、特に、図１、９を参照しながら説明する。第３実施形態は、第２実施形態と消臭剤付与装置の態様が異なっている。＜ログ形成工程（Ｂ）＞、＜ログ切断工程（Ｃ）＞は第１実施形態と同様である。第１実施形態及び第２実施形態と共通する部分は説明を省略し、その異なる第３実施形態に特有の事項を主に説明する。
【００５９】
第３実施形態は、第２実施形態と同様に長尺紙管を軸心方向に向かって所定距離移動させかつその後に移動停止させる経路で、消臭剤の付与と香料の付与とを行なう。
【００６０】
第３実施形態では、香料の付与態様は第２実施形態と同様であるが、消臭剤付与する消臭剤付与装置が、図９に示すように、内外に連通する多数の消臭剤付与口４５，４５…を周面に有する中空の消臭剤付与シャフト４１ｃとなっている。第３実施形態では、図９（ｅ）〜（ｈ）に示すように、この消臭剤付与シャフト４１ｃを、移動する長尺紙管又は停止した長尺紙管３０の紙管筒内に筒端開口３０Ｃから挿入し、この消臭剤付与シャフト４１ｃ内に消臭剤Ｒを送り込んで、消臭剤付与口４５，４５…を介して紙管内周面３０Ｂに消臭剤を付与する。消臭剤を紙管内周面３０Ｂに付与した後には、消臭剤付与シャフト４１ｃを紙管から引き抜いて消臭剤の付与を完了する。
【００６１】
第３実施形態に係る消臭剤付与シャフト４１ｃは、長尺紙管３０の長さに合わせて適宜の長さとし、また、紙管内径に応じて適宜の直径とする。また、長尺紙管３０の移動の妨げとならないように、移動の下流側に位置する筒端開口から紙管筒内に挿入するようにするのが望ましい。
【００６２】
消臭剤付与シャフト４１ｃに形成する多数の付与口４５，４５…の大きさや数は、付与する消臭剤の性状や量によって適宜設計すればよい。また、付与口の大きさは、全て同じにする必要はなく、消臭剤付与シャフト内の圧力分散等を考慮して適宜設計することができる。消臭剤付与シャフトへの消臭剤の供給は適宜にポンプ手段によって送り込めばよい。
【００６３】
第３実施形態でも、紙管形成工程で形成した長尺紙管をログ形成工程のワインダーにセットするまでの間にある、長尺紙管３０を搬送する経路で消臭剤と香料とを付与するようにしたので、別工程で付与する場合と比べて、生産効率に優れる。
【００６４】
また、第３実施形態でも、消臭剤と香料とが製造ラインに接触することが最低限に抑えられる。また、第３実施形態においても、トイレットロールの製造装置において紙管内面に付与した消臭剤と接触する可能性がある部材は、ログ巻き取りの際にコアシャフトを使用する場合のそのコアシャフト程度であり、このコアシャフトをクロムメッキ等で被覆するなどして防さび対応をとったり、洗浄をするだけでよく、その手間やコストは第３実施形態においても構成する金属部材を酸化させるような消臭剤を使用しやすくなる。
【００６５】
この第３実施形態に係るトイレットロールの製造方法により製造されるトイレットロールは、第２実施形態と同様に、図８に示される、紙管１１の外周面に香料２２が紙管の軸心方向に沿って線状に付与され、消臭剤２１が紙管内周面に付与されたものとなる。
【符号の説明】
【００６６】
２９…筒状部分、３１Ａ，３２Ａ…原反ロール、３１，３２…紙管原紙、３０…長尺のスパイラル紙管、４４…接着糊、５１…糊付けロール、５２…マンドレルシャフト、５３…プーリー、５４…平ベルト、５５…コンベア手段、５８…カッター、Ｘ２…ワインダー、７０…ログ、７１…トイレットペーパー原紙、７１Ａ…ロール、７２…２プライのトイレットペーパー原紙、８１…重ね合わせ部、８２…ミシン目線形成装置、８３，８５…巻き取りロール、９１…ログカッター、Ｘ４…ログカッター設備、４１，４１ａ，４１ｂ，４１ｃ…消臭剤付与装置、４２…香料付与装置、４５…消臭剤付与口、２１…消臭剤付与部分、２２…香料付与部分、３０Ａ…紙管外周面、３０Ｂ…紙管内周面、３０Ｃ…紙管筒端開口部、１０…トイレットロール、１１…紙管、１１Ａ…紙管内面、１２…トイレットペーパー、Ｌ１…ロールペーパーの幅、Ｌ２…ロールペーパーの直径、Ｌ３…紙管内径。Ｘ３…ログアキュームレーター。
【図１】
2014193213.tif 000003
【図２】
2014193213.tif 000004
【図３】
2014193213.tif 000005
【図４】
2014193213.tif 000006
【図５】
2014193213.tif 000007
【図６】
2014193213.tif 000008
【図７】
2014193213.tif 000009
【図８】
2014193213.tif 000010
【図９】
2014193213.tif 000011